(57)【特許請求の範囲】
【請求項１】
シャッタ開口を有するシャッタ基板と、
前記シャッタ開口を開閉可能な複数の羽根と、
前記複数の羽根のうちスリット形成羽根と他の少なくとも１枚の覆い羽根を支え、前記スリット形成羽根と前記１枚の覆い羽根とを前記シャッタ開口の縁部に対して実質的に平行に駆動する複数のアームとを有し、
前記複数のアームは、シャッタ駆動機構により駆動される主アームと、従アームと、補助アームとからなり、
前記補助アームは、前記１枚の覆い羽根に揺動可能に軸支されると共にその両端部は前記主アーム及び前記従アームに対向して位置し、一端部は前記主アームまたは前記従アームのいずれか一方に回動可能に連結され、他端部は他方のアームと共に前記スリット形成羽根または覆い羽根のいずれか一方に回動可能に連結されている
ことを特徴とするフォーカルプレーンシャッタ。
【発明の詳細な説明】
【０００１】
【発明の属する技術分野】
本発明はフォーカルプレーンシャッタに関する。
【０００２】
【従来の技術】
従来におけるフォーカルプレーンシャッタには、回転羽根式のものと平行リンク式のものとがあり、図８に示すように平行リンク式のものでは、シャッタ基板１に開設してあるシャッタ開口１ａを複数の羽根２で開閉可能である。羽根２はプラスチックで薄い板状に形成されたもので、スリット形成羽根２ａを含む全ての羽根２ａ〜２ｄは、主アーム３０，従アーム４０及び５０に支えられ、シャッタ開口１ａの縁部１ａ１に対して実質的に平行に駆動されて、シャッタ開口１ａの下方に退避する。アーム３０，４０，５０は、シャッタ開口１ａの側部のシャッタ駆動部１ｂに複数の軸７，８，９を立設して、この軸に揺動可能に軸支されている。即ち、主アーム３０は軸７に、従アーム４０は軸８に、従アーム５０は軸９にそれぞれ軸支されている。
【０００３】
さらに、シャッタ基板１の背面側にシャッタ駆動機構中の駆動レバーが揺動可能に軸支してあり、駆動レバーに立設した駆動ピン６０は、シャッタ基板１に設けてある扇型の溝穴１ｃを貫通し、先端部が主アーム３０に設けた嵌合穴に回転不能に嵌合し、駆動レバーの揺動を主アーム３０に伝達する構成になっている。
【０００４】
羽根２ａは連結部３０ａ，４０ａにより主アーム３０及び従アーム４０に連結され、羽根２ｂは連結部３０ｂ，４０ｂにより主アーム３０及び従アーム４０に連結され、羽根２ｃは連結部３０ｃ，５０ｃにより主アーム３０及び従アーム５０に連結され、羽根２ｄは連結部３０ｄ，５０ｄにより主アーム３０及び従アーム５０に連結されている。この複数の羽根によりシャッタ開口１ａを十分な遮光性をもって覆うために、開口を覆っている状態で羽根は相互に隣り合う辺で一部重なるように構成してある。
【０００５】
他方、シャッタの小型化のためには、羽根毎の連結部の間隔はできるだけ小さいのが望ましいので、例えば、羽根２ｂの連結部３０ｂ，４０ｂと羽根２ａの連結部３０ａ，４０ａとの間隔を小さくするために、羽根２ａの一部を連結部４０ｂから逃げるように後退させて凹部を形成し、この凹部に連結部４０ｂが位置するように形成し、アームによる羽根の開閉動作の際に連結部４０ｂの走行が妨げられることのないようにしている。
【０００６】
【発明が解決しようとする課題】
このような従来技術では、羽根の一部を連結部の走行軌跡から逃げるように後退させて凹部を形成しているので、この凹部で走行中に隣接する羽根との間に開口ができてしまい、遮光が不十分になるという重大な問題を生じる。そこで、遮光性が十分に得られるように羽根の一部に凹部を設けない形状にするためには、羽根毎の連結部の間隔を十分に大きくしなければならず、長いアームを用いる必要があり、このためにシャッタ駆動部１ｂを広幅Ａにしなければならず、シャッタの小型化を達成することができないという問題点があった。
そこで本発明は、シャッタの小型化及び軽量化を達成し、かつ十分な遮光性が得られるようにする。
【０００７】
【課題を解決するための手段】
本発明のフォーカルプレーンシャッタは、シャッタ開口を有するシャッタ基板と、シャッタ開口を開閉可能な複数の羽根と、複数の羽根のうちスリット形成羽根と他の少なくとも１枚の覆い羽根を支え、スリット形成羽根と１枚の覆い羽根とをシャッタ開口の縁部に対して実質的に平行に駆動する複数のアームとを有している。複数のアームは、シャッタ駆動機構により駆動される主アームと、従アームと、補助アームとからなり、補助アームは、１枚の覆い羽根に揺動可能に軸支されると共にその両端部は前記主アーム及び前記従アームに対向して位置し、一端部は前記主アームまたは前記従アームのいずれか一方に連結され、他端部は他方のアームと共に前記スリット形成羽根または前記覆い羽根のいずれか一方に連結されていることを特徴としている。
【０００９】
このように補助アームを用いることによって、各羽根とアームとを連結する連結部を接近して設けることができ、シャッタの小型化及び軽量化が達成できる。更に、凹部を設けないので十分な遮光性を確保することができる。
【００１１】
【発明の実施の形態】
本発明の実施の一形態について図面に基づいて説明する。
図１及び図２に平行リンク式のフォーカルプレーンシャッタの開放羽根ユニットを示している。閉鎖羽根ユニットについては開放羽根ユニットと実質的に同一であるので、図示を省略している。また、図８の構成と実質的に同一の個所には同一の符号を付している。前記と同様に、シャッタ基板１にシャッタ開口１ａが開設してあり、このシャッタ開口１ａを開閉可能な開放羽根である複数の羽根２がシャッタ基板１に設けてある。複数の羽根２はプラスチックで薄い板状に形成された４枚の羽根からなるもので、アーム３〜６に連結され、シャッタ開口１ａの縁部１ａ１に対して実質的に平行に駆動されて、図２に示すようにシャッタ開口１ａの下方に退避する。
【００１２】
即ち、スリット形成羽根２ａは第１平行リンク部材である主アーム３と従アーム４とに連結部３ａと４ａで連結され、覆い羽根２ｂは補助アーム６を介して主アーム３と従アーム４に連結部６ｂと４ｂで連結されている。補助アーム６は、図３に拡大して示しているように、固定ピン６ａで覆い羽根２ｂに回動可能に軸支されている。補助アーム６の両端部は主アーム３と従アーム４に対向してに位置し、一端部は連結部４ｂにより従アーム４に回動可能に連結され、他端部は連結部６ｂにより補助アーム６と主アーム３とが共に覆い羽根２ｂに回動可能に連結されている。図示の例では補助アーム６は、その両端部が主アーム３と従アーム４との上方に対向して位置しているので、連結部４ｂはスリット形成羽根２ａを厚み方向に横切ることがなく、したがって羽根２ａは連結部４ｂを逃げるように後退する凹部を設けることを要しない。凹部を設けないので、スリット形成羽根２ａと覆い羽根２ｂとの間の辺における重なりが十分に得られ、開閉動作中に両羽根２ａと２ｂとの間に開口が生じる等のことはない。図１のように、覆い羽根２ｃは主アーム３と従アーム４に連結部３ｃと４ｃで連結されている。
【００１３】
覆い羽根２ｄは一方の連結部５ｄで第２平行リンク部材である従アーム５に連結されているとともに、図４に拡大して示すシャッタ駆動機構中の駆動レバー１０の駆動ピンを介して主アーム３に連結されている。即ち、駆動レバー１０は、そのパイプ部１０ａをシャッタ基板１の裏面側に突出する軸７に嵌合させることにより揺動可能に軸支している。駆動レバー１０に立設した駆動ピン１０ｂは、シャッタ基板１に設けられ軸７を中心とする扇型の溝穴１ｃを貫通している。駆動ピン１０ｂの先端部には平面部１０ｃが形成してあり、この平面部１０ｃが主アーム３の係合孔内に相対的に回転不能に嵌合し、駆動レバー１０の揺動を主アーム３に伝達している。平面部１０ｃの下に円弧部１０ｄが形成してあり、覆い羽根２ｄはこの円弧部１０ｄが即ち他方の連結部１０ｄとなって駆動レバー１０と主アーム３とに連結されている。このために主アーム３に、駆動ピン１０ｂを連結する個所以外に覆い羽根２ｄを連結する個所を別に設けることを要しない。
即ち、主アーム３の小型化が可能になる。
【００１４】
このような構成であるので、羽根２ａ〜２ｃの平行リンクは主アーム３及び従アーム４を使用した第１平行リンク部材により移動し、覆い羽根２ｄは従アーム５及び駆動レバー１０とを使用した第２平行リンク部材により移動する。つまり、スリット形成羽根２ａは、軸７，８、連結部４ａ，３ａからなる平行リンクにより平行移動し、覆い羽根２ｂは、軸７，８、連結部４ｂ，６ｂからなる平行リンクにより平行移動し、覆い羽根２ｃは、軸７，８、連結部４ｃ，３ｃからなる平行リンクにより平行移動する。そして、覆い羽根２ｄは、軸７，９、連結部５ｄ，１０ｄからなる平行リンクにより平行移動して、図２のようにシャッタ開口１ａの下方に退避する。
【００１５】
このように、スリット形成羽根２ａの下に重なっている覆い羽根２ｂのための平行リンクを、主アーム３と従アーム４とに対向してその両端部が位置するように設けた補助アーム６を用いることによって、スリット形成羽根２ａに連結部４ｂから逃げる凹部を設けることなく隣接する連結部３ａとの間隔を最小にできる。したがってアーム３，４の長さを短くでき、シャッタ駆動部１ｂを狭幅Ｂに形成できる。
【００１６】
なお、前記の例では全ての羽根２をシャッタ開口１ａの縁部１ａ１に対して実質的に平行移動するように構成しているが、これに限られるものでなく、スリット形成羽根２ａと他の少なくとも１枚の覆い羽根（前記の例では２ｂ）を平行移動するようにし、他の覆い羽根を回転駆動する回転羽根式のものであってもよい。また前記の例では補助アーム６の一端部の連結部４ｂで従アーム４に連結し、他端部の連結部６ｂで主アーム３と共に覆い羽根２ｂに連結しているが、これに限られるものでなく、一端部を主アームに連結し、他端部を従アームと共にスリット形成羽根に連結するように構成してもよい。また補助アーム６を軸支する覆い羽根は覆い羽根２ｂに限られず他の覆い羽根であってもよい。
【００１７】
図５は実施の他の形態を示している。これは前記の例における補助アーム６を用いないで、また前記の従アーム４に代えて、従アーム１４を用いるようにしたものである。即ち、図７に拡大して示しているように、従アーム１４には、スリット形成羽根２ａとは対向せず、かつ覆い羽根２ｂとは対抗する位置に、ガイド部１４ｂが形成してある。ガイド部１４ｂは透孔でもよく凹部でもよい。覆い羽根２ｂには羽根ピン２０が立設してあり、この羽根ピン２０はガイド部１４ｂ内に摺動可能に嵌合している。ガイド部１４ｂの形状は、第１平行リンク部材である主アーム３と従アーム１４とが軸７及び８を中心に揺動することによって、ガイド部１４ｂ内を羽根ピン２０が摺動し、これにより覆い羽根２ｂがシャッタ開口１ａの縁部１ａ１に対して平行に移動するようにガイドするのに適した形状に設定されている。
【００１８】
アーム１４と覆い羽根２ｂとの連結における前記の構成以外は、実質的に前記の例における構成と同じであり、同一の符号を付している。即ち、スリット形成羽根２ａは、軸７，８、連結部１４ａ，３ａからなる平行リンクにより平行移動し、覆い羽根２ｃは、軸７，８、連結部１４ｃ，３ｃからなる平行リンクにより平行移動し、覆い羽根２ｄは、軸７，９、連結部５ｄ，１０ｄからなる第２平行リンクにより平行移動して、図６のようにシャッタ開口１ａの下方に退避する。そして前記の覆い羽根２ｂのみは、軸７に軸支されている主アーム３に，連結部３ｂにより連結され、アーム１４のガイド部１４ｂに羽根ピン２０を嵌合させている。これにより軸７及び８を中心とする主アーム３と従アーム１４の揺動により、羽根ピン２０がガイド部１４ｂ内を摺動して、他の覆い羽根と同様に覆い羽根２ｂもシャッタ開口１ａの縁部１ａ１に対して平行に移動して下方に退避する。
【００１９】
なお、ガイド部を形成するアームは、従アーム１４に限られず主アーム３でもよく、任意の１枚の覆い羽根に羽根ピンを立設してガイド部に嵌合摺動させればよく、またこの１枚の覆い羽根を除き、他の覆い羽根は回転駆動される回転駆動式のものであってもよい。
【００２０】
なお、前述の二つの実施の形態では、主アーム３と従アーム４，１４よりなる第１平行リンク部材と、駆動レバー１０と従アーム５とよりなる第２平行リンク部材とによる複数の平行リンク部材により複数の羽根２をシャッタ開口１ａの縁部１ａ１に対して略平行に駆動させているが、複数の平行リンク部材を用いることにより、主アーム３、従アーム４，１４及び従アーム５の回転中心軸の位置を自由に設定できるため、小型化にしてもそれぞれの平行リンク部材に関わる羽根や連結部の軌跡を逃げてかつ羽根の動作中に羽根との間に開口ができない構成とすることができる。
【００２１】
また、前述の二つの実施の形態では、補助アーム６または補助アーム６の代わりにガイド部１４ｂが設けてある従アーム１４を備える平行リンクと従アーム５を有する他の平行リンクとの組み合わせになっているが、この構成に限るものではなく、補助アーム６を用いる構成、ガイド部１４ｂを用いる構成及び従アーム５を用いる構成のそれぞれの平行リンクを適宜組み合わせたものであってもよい。
【００２２】
【発明の効果】
このように本発明のフォーカルプレーンシャッタは、補助アームを覆い羽根に揺動可能に軸支し、その両端部は主アーム及び従アームに対向して位置している。補助アームの一端部は主アームまたは従アームのいずれか一方に連結し、他端部は他方のアームと共にスリット形成羽根または覆い羽根のいずれか一方に連結している。したがって、スリット形成羽根に、覆い羽根と従アームとの連結部から逃げる凹部を設けることなく隣接する連結部との間隔を最小にできる。したがって、アームの小型化、ひいてはシャッタの小型軽量化を達成でき、シャッタ駆動部を狭幅に形成できる。スリット形成羽根には凹部を設けなくてよいので、覆い羽根との重なり量を十分に取ることができ、遮光性が確保できる。また、補助アームに代えて主アームと従アームのいずれか一方にガイド部を設けており、覆い羽根に立設した羽根ピンをガイド部に嵌合摺動させるようにしているので、前記と同様に、隣接する連結部との間隔を最小にでき、シャッタ駆動部を狭幅に形成でき、かつ遮光性が確保できる。
【００２３】
また、複数の平行リンク部材により複数の羽根を駆動させているが、複数の平行リンク部材を用いることにより、主アーム、従アームの回転中心軸の位置を自由に設定できるため、小型化にしてもそれぞれの平行リンク部材に関わる羽根や連結部の軌跡を逃げてかつ羽根の動作中に羽根との間に開口ができない構成とすることができる。
【図面の簡単な説明】
【図１】本発明の実施の一形態を示すもので、開放羽根群がシャッタ開口を覆っている状態を示す正面図である。
【図２】同、開放羽根群がシャッタ開口から退避した状態を示す正面図である。
【図３】図１の一部を拡大して示す正面図である。
【図４】図１の駆動レバーを示す拡大斜視図である。
【図５】本発明の実施の他の形態を示すもので、開放羽根群がシャッタ開口を覆っている状態を示す正面図である。
【図６】同、開放羽根群がシャッタ開口から退避した状態を示す正面図である。
【図７】図５の一部を拡大して示す正面図である。
【図８】従来の構成を示し、開放羽根群がシャッタ開口を覆っている状態を示す正面図である。
【符号の説明】
１            シャッタ基板
１ａ          シャッタ開口
２            羽根
２ａ          スリット形成羽根
２ｂ〜２ｄ    覆い羽根
３            主アーム
４            従アーム
６            補助アーム
１４          従アーム
１４ｂ        ガイド部
２０          羽根ピン
【図１】
0004573341.tif 000002
【図２】
0004573341.tif 000003
【図３】
0004573341.tif 000004
【図４】
0004573341.tif 000005
【図５】
0004573341.tif 000006
【図６】
0004573341.tif 000007
【図７】
0004573341.tif 000008
【図８】
0004573341.tif 000009